(57)【要約】      （修正有）【課題】誕生石を備えた節句用兜を提供する。【解決手段】節句用兜１は、五月人形の頭頂部に装着される兜鉢４と、兜鉢４の正面側に取り付けられた鍬形５と、兜鉢４の両側に取り付けられた吹き返し６と、兜鉢４の正面下端部から前方に突出した眉庇７と、誕生石８とを備えている。誕生石８は、節句用兜の正面側に設けられており、例えば、鍬形５の基部に固定されている。【選択図】図１
0003180467.tif 000002
【実用新案登録請求の範囲】
【請求項１】
節句人形とともに又は単独で構成される節句用兜であって、
前記節句用兜の正面側に、誕生石が取り付けられ又は誕生石を取り付ける取付部が設けられていることを特徴とする節句用兜。
【請求項２】
前記取付部に装着される前記誕生石と前記節句用兜とが別体で組み合わせられていることを特徴とする請求項１に記載の節句用兜。
【請求項３】
前記別体の誕生石は、支持台座に固定されており、前記支持台座を介して前記節句用兜に取り付けられることを特徴とする請求項２に記載の節句用兜。
【請求項４】
前記節句用兜は、兜鉢と、前記兜鉢の外周正面側に設けられた鍬形とを有しており、
前記誕生石又は前記取付部は、前記鍬形の基部に設けられていることを特徴とする請求項１に記載の節句用兜。
【請求項５】
前記取付部は、前記鍬形の基部に形成された貫通孔であり、
前記支持台座は、前記貫通孔内に挿通された挿通部と、前記挿通部の一端部に係合して前記挿通部が前記貫通孔から抜け出すことを防止する抜け止め材とを有することを特徴とする請求項４に記載の節句用兜。
【請求項６】
前記鍬形と前記兜鉢との間に隙間空間が設けられており、
前記抜け止め材は、前記隙間空間に突出した前記挿通部の前記一端部に係合されることを特徴とする請求項５に記載の節句用兜。
【請求項７】
前記抜け止め材は、ナット、スナップリング、接着材の何れかであることを特徴とする請求項５又は６に記載の節句用兜。
【請求項８】
前記取付部は、前記誕生石の一側面に密着可能な座面であり、
前記誕生石の前記一側面が前記座面に接着材で固定されることを特徴とする請求項２に記載の節句用兜。
【考案の詳細な説明】
【技術分野】
【０００１】
本考案は、五月飾りとして端午の節句に展示される節句用兜に関する。
【背景技術】
【０００２】
従来より、上巳や端午の節句には子供の健やかな成長を願って、家庭内の床の間等に三月飾りや五月飾りを展示している。
例えば、特許文献１には、頭頂部に設けられた装飾具の正面側に誕生石を備えた雛人形が開示されている。
【先行技術文献】
【特許文献】
【０００３】
【特許文献１】実開昭６３−４０９８８号公報
【考案の概要】
【考案が解決しようとする課題】
【０００４】
特許文献１に記載されているように、雛人形には誕生石が設けられているが、五月飾りとして展示される五月人形や節句用兜には誕生石が設けられたものがない。したがって、誕生石を備えた五月飾りが求められていた。ところで、特許文献１には、五月人形や節句用兜等の五月飾りについての記載は無い。
【０００５】
そこで、本考案は上述の問題点に鑑みなされたものであり、誕生石を備えた節句用兜を提供することを目的とする。
【課題を解決するための手段】
【０００６】
本考案に係る節句用兜は上記課題を解決するために、節句人形とともに又は単独で構成される節句用兜であって、
前記節句用兜の正面側に、誕生石が取り付けられ又は誕生石を取り付ける取付部が設けられていることを特徴とする。
本考案による、誕生石が取り付けられた節句用兜によれば、節句用兜に高い装飾効果を付加して展示することができる。
また、消費者が要求する、例えば、子供の誕生月に対応する誕生石を備えることで、子供が節句用兜に親しみを持つことができる。したがって、節句用兜が子供に好影響を与える心理的効果を長期にわたって与えることができる。
そして、誕生石が取り付けられた節句用兜を祖父母から孫に贈答することで、祖父母に対する両親の感謝の気持ちが、従来の誕生石の無い節句用兜を贈答された場合と比べて、強くなる。
一方、本考案による、誕生石を取り付ける取付部が設けられた節句用兜によれば、店舗で誕生石を取り付けることが可能となる。
誕生石を取り外しできないように節句用兜に固定すると、各月に対応する誕生石を備えた１２種類の節句用兜を在庫として店舗に保管する必要がある。これには、多大なスペースが必要となるため、小型店舗では全ての節句用兜を保管できない場合がある。したがって、消費者が購入したい誕生石を備えた節句用兜を直接、目で見ることができないおそれがあった。
しかしながら、本考案の節句用兜によれば、誕生石を店舗で節句用兜に取り付けることができる。これにより、例えば、１２種類の誕生石及び１つの節句用兜を店舗に在庫することで、消費者の要望に応じて誕生石を節句用兜に取り付けて、見せることが可能となる。
【０００７】
また、前記取付部に装着される前記誕生石と前記節句用兜とが別体で組み合わせられていてもよい。
このように、取付部に取り付けられる誕生石と節句用兜とを別体とすることで、店舗で誕生石を取り付けることが可能となる。したがって、上述した効果と同様の効果を得られる。
また、誕生石と節句用兜とを別体とすることで、誕生石の仕入れ先と節句用兜の仕入れ先とを別々にすることができる。これにより、より優れた製品同士を適宜、組み合わせた節句用兜を製作することができる。
【０００８】
また、前記別体の誕生石は、支持台座に固定されており、前記支持台座を介して前記節句用兜に取り付けられていてもよい。
このように、誕生石が支持台座を介して節句用兜に取り付けられているため、長期間にわたって誕生石を確実に固定することができる。このため、誕生石が運搬時や展示中に外れることを防止できる。
【０００９】
また、前記節句用兜は、兜鉢と、前記兜鉢の外周正面側に設けられた鍬形とを有しており、前記誕生石又は前記取付部は、前記鍬形の基部に設けられていてもよい。
このように、誕生石が鍬形の基部に取り付けられるため、誕生石を目立たせることができる。これにより、誕生石の無い節句用兜との違いを明確にすることができる。
【００１０】
また、前記取付部は、前記鍬形の基部に形成された貫通孔であり、
前記支持台座は、前記貫通孔内に挿通された挿通部と、前記挿通部の一端部に係合して前記挿通部が前記貫通孔から抜け出すことを防止する抜け止め材とを有していてもよい。
このように、支持台座は、鍬形の貫通孔に挿通された挿通部及び抜け止め材を備えているため、支持台座、即ち誕生石を確実に鍬形に固定することができる。
【００１１】
また、前記鍬形と前記兜鉢との間に隙間空間が設けられており、
前記抜け止め材は、前記隙間空間に突出した前記挿通部の前記一端部に係合されていてもよい。
このように、鍬形と兜鉢との間に隙間空間が形成されているため、支持台座を鍬形に固定する際に、貫通孔に挿通された挿通部の一端部に抜け止め材を容易に係合させることができる。
【００１２】
また、前記抜け止め材は、ナット、スナップリング、接着材の何れかとしてもよい。
このように、支持台座の挿通部にナット、スナップリング、接着材の何れかを係合することで、支持台座の抜け出しを防止できる。ナット、スナップリング及び接着材は、一般的なものなので、支持台座に緩みが発生した場合等に店舗の販売員や消費者が直ちに手直しをすることができる。
【００１３】
また、前記取付部は、前記誕生石の一側面に密着可能な座面であり、
前記誕生石の前記一側面が前記座面に接着材で固定されていてもよい。
このように、誕生石を接着材で固定するため、短時間で容易に誕生石を固定することができる。
また、誕生石の一側面を接着材で固定するため、当該一側面のみを座面に密着可能な形状とすればよい。即ち、一側面のみが成形されていればよく、他の側面の形状は問わない。したがって、様々な形の誕生石を用いることができる。これにより、デザイン性に優れた節句用兜を製作することができる。
【考案の効果】
【００１４】
本考案によれば、誕生石を備えた節句用兜を提供することができる。
【図面の簡単な説明】
【００１５】
【図１】本発明の第一実施形態に係る節句用兜を示す図である。
【図２】節句用兜を五月人形に装着した状態を示す斜視図である。
【図３】図１のＡ−Ａ断面図である。
【図４】本発明の第二実施形態にかかる支持台座で誕生石を固定した状態を示す断面図である。
【図５】本発明の第三実施形態にかかる支持台座で誕生石を固定した状態を示す断面図である。
【図６】本発明の第四実施形態にかかる固定座面に誕生石を固定した状態を示す断面図である。
【図７】鍬形の他の形状例を示す図である。
【考案を実施するための形態】
【００１６】
以下、添付図面に従って本考案の実施形態について説明する。ただし、この実施形態に記載されている構成部品の寸法、材質、形状、その相対的配置等は、特定的な記載がない限り本考案の範囲をこれに限定する趣旨ではなく、単なる説明例にすぎない。
【００１７】
図１は、本発明の第一実施形態に係る節句用兜を示す図であり、図２は、節句用兜を五月人形に装着した状態を示す斜視図である。
図１及び図２に示すように、節句用兜１は、節句人形、例えば五月人形２の頭頂部３に装着される兜鉢４と、兜鉢４の外周正面側に設けられた鍬形５と、兜鉢４の両側面下部に取り付けられた吹き返し６と、兜鉢４の正面側下端から前方へ突出する眉庇７と、を備えている。
【００１８】
鍬形５は、固定部材１４を介して眉庇７に固定されている。鍬形５と固定部材１４、固定部材１４と眉庇７は、それぞれ鋲１５で接続されている。
【００１９】
また、鍬形５の基部には誕生石８が設けられている。このように、誕生石８が鍬形５の基部に取り付けられるため、誕生石８を目立たせることができる。これにより、誕生石８の無い節句用兜との違いを明確にすることができる。
誕生石８は支持台座９を介して鍬形５に固定されている。
【００２０】
図３は、図１のＡ−Ａ断面図である。
図３に示すように、鍬形５の基部には貫通孔１３（取付部に相当）が形成されている。
そして、支持台座９は、誕生石８を支持する支持部１０と、一端が支持部１０に接続されて、貫通孔１３内を貫通する円柱状の挿通部１１と、挿通部１１の他端部に係合するスナップリング１２とを有している。
【００２１】
挿通部１１の他端部の外周には溝１１ａが設けられており、この溝１１ａにスナップリング１２を係合することで支持台座９を鍬形５に固定するとともに、支持台座９が抜け出すことを防止する。これにより、支持台座９、即ち誕生石８を確実に鍬形５に固定することができる。
また、鍬形５と兜鉢４との間に隙間空間が形成されているため、スナップリング１２の取付けを容易に行うことができる。
【００２２】
また、支持台座９の支持部１０で誕生石８を支持しているため、運搬中や展示中等に誕生石８が節句用兜１から外れることを防止できる。また、誕生石８が取り付けられた支持台座９は、スナップリング１２を外すことで鍬形５から取り外すことができる。これにより、種類の異なる誕生石８を鍬形５に取り付けることが可能となる。
なお、誕生石８を交換する必要が無い場合は、挿通部１１の他端部の溝１１ａに接着材を塗布して、挿通部１１とスナップリング１２とを固定してもよい。これにより、誕生石８が節句用兜１から外れることを確実に防止できる。
【００２３】
誕生石８は、例えば、ガーネット、アメシスト、アクアマリン、ブラッドストーン、サンゴ、ダイヤモンド、エメラルド、ヒスイ、ムーンストーン、真珠、ルビー、ペリドット、サードニクス、サファイア、オパール、トルマリン、トパーズ、シトリン、トルコ石、ラピスラズリ、タンザナイト等を用いる。なお、こられに限定されるものではなく、他の石にも適用可能である。
【００２４】
本実施形態では節句用兜１を五月人形２に装着した場合について説明したが、これに限定されるものではなく、節句用兜１のみを展示する場合にも適用可能である。
【００２５】
上述した構成からなる節句用兜１によれば、鍬形５に誕生石８を備えているため、節句用兜１に高い装飾効果を付加して展示できる。
【００２６】
また、子供の誕生月に対応する誕生石８を備えることで、子供が節句用兜１に親しみを持つことができる。したがって、節句用兜１が子供に好影響を与える心理的効果を長期に亘って与えることができる。
【００２７】
そして、誕生石８を支持する支持台座９を備えているため、長期間にわたって誕生石８を確実に鍬形５に固定することができる。このため、誕生石８が運搬時や展示中に外れることを防止できる。
また、誕生石８は、支持台座９の支持部１０にて支持されるため、誕生石８を傷付けることがない。
【００２８】
さらに、支持台座９を備えているため、店舗で誕生石８を節句用兜１に取り付けることが可能となる。誕生石８を取り外しできないように節句用兜に固定すると、各月に対応する誕生石８を備えた１２種類の節句用兜を在庫として店舗に保管する必要がある。これには、多大なスペースが必要となるため、小型店舗では全ての節句用兜を保管できない場合がある。したがって、消費者が購入したい誕生石８を備えた節句用兜を直接、目で見ることができないおそれがあった。
しかしながら、本考案の節句用兜１によれば、誕生石８を店舗で節句用兜１に取り付けることができる。これにより、例えば、１２種類の誕生石８及び１つの節句用兜１を店舗に在庫することで、消費者の要望に応じて誕生石８を節句用兜１に取り付けて、見せることが可能となる。
【００２９】
そして、誕生石８と節句用兜１とを別体とすることで、誕生石８の仕入れ先と節句用兜１の仕入れ先とを別々にすることができる。これにより、より優れた製品同士を適宜、組み合わせた節句用兜１を製作することができる。
【００３０】
そして、誕生石８が取り付けられた節句用兜１を祖父母から孫に贈答することで、祖父母に対する両親の感謝の気持ちが、従来の誕生石の無い節句用兜を贈答された場合と比べて、強くなる。
【００３１】
次に、本発明の第二実施形態について説明する。以下の説明において、上述した第一実施形態に対応する部分には同一の符号を付して説明を省略し、主に相違点について説明する。
【００３２】
図４は、本発明の第二実施形態にかかる支持台座で誕生石を固定した状態を示す断面図である。
図４に示すように、支持台座２０は、一端部２１ａが誕生石８に嵌合されて、貫通孔１３内を貫通する円柱状の挿通部２１と、挿通部２１の他端部に係合するスナップリング１２とを有している。
【００３３】
挿通部２１の一端部２１ａの外周にはネジ山が形成されており、誕生石８に形成されているネジ穴８ａに挿通部２１の一端部２１ａが螺合することにより、嵌合される。
【００３４】
また、第一実施形態と同様に、挿通部２１の他端部の外周には溝２１ｂが設けられており、この溝２１ｂにスナップリング１２が係合されている。
そして、挿通部２１の一端部２１ａのネジ山や他端部の溝２１ｂに接着材を塗布して、それぞれ挿通部２１と誕生石８、挿通部２１とスナップリング１２を固定してもよい。これにより、誕生石８が節句用兜１７から外れることを確実に防止することができる。
【００３５】
上述した構成からなる節句用兜１７によれば、上記第一実施形態で説明した効果に加えて、挿通部２１の一端部２１ａを誕生石８に嵌合するため、様々な形状の誕生石８を鍬形に固定することができる。これにより、デザイン性に優れた節句用兜１７を製作することができる。
【００３６】
次に、本発明の第三実施形態について説明する。
図５は、本発明の第三実施形態にかかる支持台座で誕生石を固定した状態を示す断面図である。
図５に示すように、支持台座３０は、誕生石８を支持する支持部１０と、一端が支持部１０に接続されて、貫通孔１３内を挿通する挿通部３１と、挿通部３１の他端部に螺合するナット３２とを有している。
【００３７】
挿通部３１の外周にはネジ山が形成されており、挿通部３１にナット３２を螺合することにより、支持台座３０を鍬形５に固定する。
そして、挿通部３１のネジ山に接着材を塗布して、挿通部３１とナット３２を固定してもよい。これにより、誕生石８が節句用兜１８から外れることを確実に防止することができる。
【００３８】
上述した構成からなる節句用兜１８によれば、上記第一実施形態で説明した効果に加えて、ナット３２を締め付けることで支持台座３０を固定することができるため、消費者でも容易に取り付け、増し締め作業を行うことができる。したがって、運搬による振動等によってナット３２が緩んでも、すぐに支持台座３０を固定することができる。
【００３９】
次に、本発明の第四実施形態について説明する。
図６は、本発明の第四実施形態にかかる固定座面に誕生石を固定した状態を示す断面図である。
図６に示すように、鍬形５の基部に誕生石８の取付け面８ｂ（一側面に相当）と密着する固定座面２２が形成されている。誕生石８の取付け面８ｂは、固定座面２２と密着可能に形成されている。そして、誕生石８は固定座面２２に接着材１６で固定されている。
【００４０】
上述した構成からなる節句用兜１９によれば、誕生石８が密着可能な固定座面２２を備えているため、長期間にわたって誕生石８を確実に固定することができる。このため、誕生石８が運搬時や展示中に外れることを防止できる。
そして、誕生石８を接着材１６で固定するため、短時間で容易に誕生石８を固定することができる。
【００４１】
また、誕生石８の取付け面８ｂを接着材１６で固定するため、取付け面８ｂのみを固定座面２２に密着可能な形状とすればよい。即ち、取付け面８ｂのみが成形されていればよく、他の側面の形状は問わない。したがって、様々な形の誕生石８を用いることができる。これにより、デザイン性に優れた節句用兜１９を製作することができる。
【００４２】
なお、上述した各実施形態では、鍬形５の基部に誕生石８を固定した場合について説明したが、この位置に限定されるものではなく、例えば、兜鉢４、吹き返し６、眉庇７の正面側に誕生石８を設けてもよい。要は、節句用兜１、１７、１８、１９の正面側であればよい。
【００４３】
また、上述した各実施形態では、誕生石８を１個設けた場合について説明したが、この数に限定されるものではなく、複数個設けてもよい。係る場合には、例えば、全ての誕生石８を鍬形５に設けても良いし、鍬形５、兜鉢４、吹き返し６、眉庇７にそれぞれ１個ずつ設けたりしてもよい。要は、誕生石８の個数は限定されない。
【００４４】
さらに、上述した各実施形態では、略リング状の鍬形５を用いた場合について説明したが、この形状に限定されるものではなく、例えば、図７に示すように、長鍬形２５、大鍬形、獅噛鍬形、三つ鍬形等の他の形状の鍬形にも適用可能である。
【産業上の利用可能性】
【００４５】
本考案は、端午の節句に展示される節句用兜に利用可能である。
【符号の説明】
【００４６】
１  節句用兜
２  五月人形
３  頭頂部
４  兜鉢
５  鍬形
６  吹き返し
７  眉庇
８  誕生石
８ａ  ネジ穴
８ｂ  取付け面
９  支持台座
１０  支持部
１１  挿通部
１１ａ  溝
１２  スナップリング
１３  貫通孔
１４  固定部材
１５  鋲
１６  接着材
１７  節句用兜
１８  節句用兜
１９  節句用兜
２０  支持台座
２１  挿通部
２１ａ  一端部
２１ｂ  溝
２２  固定座面
２５  長鍬形
３０  支持台座
３１  挿通部
３２  ナット
【図１】
0003180467.tif 000003
【図２】
0003180467.tif 000004
【図３】
0003180467.tif 000005
【図４】
0003180467.tif 000006
【図５】
0003180467.tif 000007
【図６】
0003180467.tif 000008
【図７】
0003180467.tif 000009